【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
波長の異なる複数の信号光を含んだ波長多重光が伝搬する伝送路に接続され、該伝送路から入力される波長多重光に対して少なくとも１つの波長の信号光を分岐および挿入して前記伝送路に出力する光分岐挿入装置において、
前記伝送路から入力される波長多重光に含まれる複数の信号光のうちの少なくとも１つの波長の信号光をブロックし、残りの信号光を透過するブロック部と、
前記ブロック部を透過した信号光に対して前記ブロック部でブロックされた信号光と同一波長の信号光を挿入して出力する挿入部と、
前記挿入部から出力される波長多重光を増幅して出力する増幅部と、
前記増幅部から出力される波長多重光を２つに分岐し、一方の分岐光から前記挿入部で挿入された信号光とは波長の異なる少なくとも１つの波長の信号光を取り出すと共に、他方の分岐光を前記伝送路に出力する分岐部と、を備えて構成されたことを特徴とする光分岐挿入装置。
【請求項２】
波長の異なる複数の信号光を含んだ波長多重光が伝搬する伝送路に接続され、該伝送路から入力される波長多重光に対して少なくとも１つの波長の信号光を分岐または挿入することが可能であり、該信号光の分岐または挿入された前記波長多重光を前記伝送路に出力する光分岐挿入装置において、
前記伝送路から入力される波長多重光に含まれる複数の信号光のうち、当該光分岐挿入装置で挿入される信号光の波長に一致する波長の光をブロックするブロック部と、
前記ブロック部を出力した光に信号光を挿入して出力する挿入部と、
前記挿入部から出力される波長多重光を増幅して出力する増幅部と、
前記増幅部から出力される波長多重光を２つに分岐し、一方の分岐光から前記挿入部で挿入された信号光とは波長の異なる信号光を取り出すことが可能であると共に、他方の分岐光を前記伝送路に出力する分岐部と、を備えて構成されたことを特徴とする光分岐挿入装置。
【請求項３】
請求項１または２に記載の光分岐挿入装置であって、
前記ブロック部は、前記挿入部で挿入される信号光の波長を含んだブロック波長帯域を有する波長ブロッカを備え、
前記挿入部は、２つの入力ポートおよび１つの出力ポートを有し、一方の入力ポートに与えられる前記波長ブロッカを透過した信号光と、他方の入力ポートに与えられる前記ブロック部でブロックされた信号光と同一波長の信号光とを合波して出力ポートから出力する光カプラを備え、
前記分岐部は、１つの入力ポートおよび２つの出力ポートを有し、前記増幅部から出力される波長多重光が入力ポートに与えられ、その入力光を２つに分岐して各出力ポートから出力する光分岐カプラと、該光分岐カプラの一方の出力ポートから出力される波長多重光から前記挿入部で挿入された信号光とは波長の異なる少なくとも１つの波長の信号光を取り出す光フィルタ回路と、を備えたことを特徴とする光分岐挿入装置。
【請求項４】
請求項３に記載の光分岐挿入装置であって、
前記波長ブロッカおよび前記光カプラとしてリジェクション・アドフィルタを用いたことを特徴とする光分岐挿入装置。
【請求項５】
請求項３に記載の光分岐挿入装置であって、
前記分岐部は、前記光分岐カプラの分岐比を変化させることが可能であると共に、前記光フィルタ回路で取り出す信号光の波長数に基づいて前記光分岐カプラの分岐比を制御する制御回路を備えたことを特徴とする光分岐挿入装置。
【請求項６】
請求項３に記載の光分岐挿入装置であって、
前記挿入部は、前記光カプラの少なくとも一方の入力ポートに接続する光路上に挿入した可変光減衰器と、前記光カプラの出力ポートから出力される各波長の信号光パワーが略等しくなるように前記可変光減衰器の減衰量を制御する制御回路と、を備えたことを特徴とする光分岐挿入装置。
【請求項７】
請求項３に記載の光分岐挿入装置であって、
前記挿入部は、前記光カプラの各入力ポートに与えられる光のパワーの合波比率を変化させることが可能であると共に、前記光カプラの出力ポートから出力される各波長の信号光パワーが略等しくなるように前記合波比率を制御する制御回路を備えたことを特徴とする光分岐挿入装置。
【請求項８】
請求項１または２に記載の光分岐挿入装置であって、
前記増幅部の入力端および出力端に接続する各光路上にそれぞれ設けた２つの光スイッチと、該各光スイッチの間を直接接続する迂回光路と、前記増幅部が正常に動作しているときに波長多重光が前記増幅部を通り、前記増幅部に故障が発生しているときに波長多重光が前記迂回光路を通るように前記各光スイッチを制御するスイッチ制御回路と、を備えたことを特徴とする光分岐挿入装置。
【請求項９】
請求項１または２に記載の光分岐挿入装置であって、
前記伝送路から入力される監視制御光を受信して信号光の波長情報を取得すると共に、監視制御光を生成して前記伝送路に送信する監視制御光処理回路を備えるとき、
該監視制御光処理回路は、停電時に前記伝送路から入力される監視制御光をそのまま前記伝送路に出力する機能を有することを特徴とする光分岐挿入装置。
【請求項１０】
波長の異なる複数の信号光を含んだ波長多重光が伝搬する伝送路に接続され、該伝送路から入力される波長多重光に対して少なくとも１つの波長の信号光を分岐または挿入することが可能であり、該信号光の分岐または挿入された前記波長多重光を前記伝送路に出力する光分岐挿入装置において、
前記伝送路から入力される波長多重光に対して少なくとも１つの波長の信号光を挿入して出力する挿入部と、
前記挿入部から出力される波長多重光を増幅して出力する増幅部と、
前記増幅部から出力される波長多重光を２つに分岐し、一方の分岐光から前記挿入部で挿入された信号光とは波長の異なる少なくとも１つの波長の信号光を取り出す分岐部と、
前記分岐部から出力される他方の分岐光に含まれる複数の信号光のうちの前記分岐部で取り出された信号光と同一波長の信号光をブロックし、残りの信号光を前記伝送路に出力するブロック部と、を備えて構成されたことを特徴とする光分岐挿入装置。
【請求項１１】
請求項１０に記載の光分岐挿入装置であって、
前記挿入部は、２つの入力ポートおよび１つの出力ポートを有し、一方の入力ポートに与えられる前記伝送路からの波長多重光と、他方の入力ポートに与えられる前記少なくとも１つの波長の信号光を合波して出力ポートから出力する光カプラを備え、
前記分岐部は、１つの入力ポートおよび２つの出力ポートを有し、前記増幅部から出力される波長多重光が入力ポートに与えられ、その入力光を２つに分岐して各出力ポートから出力する光分岐カプラと、該光分岐カプラの一方の出力ポートから出力される波長多重光から前記挿入部で挿入された信号光とは波長の異なる少なくとも１つの波長の信号光を取り出す光フィルタ回路と、を備え、
前記ブロック部は、前記光フィルタ回路で取り出される信号光の波長を含んだブロック波長帯域を有する波長ブロッカを備えたことを特徴とする光分岐挿入装置。
【請求項１２】
請求項１または２に記載の光分岐挿入装置であって、
前記挿入部よりも前段の光路上に、前記伝送路の波長分散特性に対して逆の波長分散特性を有する分散補償部を備えたことを特徴とする光分岐挿入装置。
【請求項１３】
請求項１または２に記載の光分岐挿入装置であって、
前記ブロック部および前記挿入部は、複数の入力ポートと１つの出力ポートを有する第１波長選択スイッチを用いて構成され、
前記分岐部は、１つの入力ポートと複数の出力ポートを有する第２波長選択スイッチを備えたことを特徴とする光分岐挿入装置。
【請求項１４】
請求項１０に記載の光分岐挿入装置であって、
前記挿入部よりも前段の光路上に、前記伝送路の波長分散特性に対して逆の波長分散特性を有する分散補償部を備えたことを特徴とする光分岐挿入装置。
【請求項１５】
請求項１０に記載の光分岐挿入装置であって、
前記挿入部は、複数の入力ポートと１つの出力ポートを有する第１波長選択スイッチを用いて構成され、
前記分岐部および前記ブロック部は、１つの入力ポートと複数の出力ポートを有する第２波長選択スイッチを備えたことを特徴とする光分岐挿入装置。
【手続補正２】
【補正対象書類名】明細書
【補正対象項目名】０００９
【補正方法】変更
【補正の内容】
【０００９】
上記の目的を達成するため、本発明の１つの態様は、例えば図１に示すように、波長の異なる複数の信号光を含んだＷＤＭ光が伝搬する伝送路Ｌに接続され、伝送路Ｌから入力されるＷＤＭ光ＳINに対して少なくとも１つの波長の信号光を分岐および挿入して伝送路Ｌに出力する光分岐挿入装置において、伝送路Ｌから入力されるＷＤＭ光ＳINに含まれる複数の信号光のうちの少なくとも１つの波長の信号光をブロックし、残りの信号光を透過するブロック部１と、ブロック部１を透過した信号光に対してブロック部１でブロックされた信号光と同一波長の信号光を挿入して出力する挿入部２と、挿入部２から出力されるＷＤＭ光を増幅して出力する増幅部３と、増幅部３から出力されるＷＤＭ光を２つに分岐し、一方の分岐光から挿入部２で挿入された信号光とは波長の異なる少なくとも１つの波長の信号光を取り出すと共に、他方の分岐光ＳOUTを伝送路Ｌに出力する分岐部４と、を備えて構成されたことを特徴とする。
また、本発明の他の態様は、波長の異なる複数の信号光を含んだＷＤＭ光が伝搬する伝送路Ｌに接続され、伝送路Ｌから入力されるＷＤＭ光ＳINに対して少なくとも１つの波長の信号光を分岐または挿入することが可能であり、該信号光の分岐または挿入されたＷＤＭ光を伝送路Ｌに出力する光分岐挿入装置において、伝送路Ｌから入力されるＷＤＭ光に含まれる複数の信号光のうち、当該光分岐挿入装置で挿入される信号光の波長に一致する波長の光をブロックするブロック部１と、ブロック部１を出力した光に信号光を挿入して出力する挿入部２と、挿入部２から出力されるＷＤＭ光を増幅して出力する増幅部３と、増幅部３から出力されるＷＤＭ光を２つに分岐し、一方の分岐光から挿入部２で挿入された信号光とは波長の異なる信号光を取り出すことが可能であると共に、他方の分岐光ＳOUTを伝送路Ｌに出力する分岐部４と、を備えて構成されたことを特徴とする。
【手続補正３】
【補正対象書類名】明細書
【補正対象項目名】００１０
【補正方法】変更
【補正の内容】
【００１０】
また、本発明の他の態様は、例えば図２に示すように、波長の異なる複数の信号光を含んだＷＤＭ光が伝搬する伝送路Ｌに接続され、伝送路Ｌから入力されるＷＤＭ光ＳINに対して少なくとも１つの波長の信号光を分岐または挿入することが可能であり、該信号光の分岐または挿入されたＷＤＭ光を伝送路に出力する光分岐挿入装置において、伝送路Ｌから入力されるＷＤＭ光ＳINに対して少なくとも１つの波長の信号光を挿入して出力する挿入部２と、挿入部２から出力されるＷＤＭ光を増幅して出力する増幅部３と、増幅部３から出力されるＷＤＭ光を２つに分岐し、一方の分岐光から挿入部２で挿入された信号光とは波長の異なる少なくとも１波の信号光を取り出す分岐部４と、分岐部４から出力される他方の分岐光に含まれる複数の信号光のうちの分岐部４で取り出された信号光と同一波長の信号光をブロックし、残りの信号光ＳOUTを伝送路Ｌに出力するブロック部１’と、を備えて構成されたことを特徴とする。